(57)【要約】【課題】対象機器の構成を示す情報を取得し、管理画像を容易に生成できる画像生成装置、表示装置、機器管理装置及び機器管理システムを提供する。【解決手段】画像生成装置４００は、空調を制御する制御装置に接続している対象機器の構成を示す、管理画像を生成する。画像生成装置４００は、制御装置から、構成識別情報と関連付けられた対象機器の構成を示す構成文字情報を取得する情報取得部４１０と、情報取得部４１０が取得した構成文字情報に基づいて、管理画像を生成する生成部４３０を備える。【選択図】図１６
2018189299.tif 000002
【特許請求の範囲】
【請求項１】
空調を制御する制御装置に接続している対象機器の構成を示す、管理画像を生成する画像生成装置であって、
前記制御装置から、前記対象機器の構成を識別する構成識別情報と関連付けられた前記対象機器の構成を示す構成文字情報を取得する情報取得部と、
前記情報取得部が取得した前記構成文字情報に基づいて、前記管理画像を生成する生成部と、を備える、
画像生成装置。
【請求項２】
前記構成識別情報は、前記対象機器を識別する機器識別情報を含み、
前記構成文字情報は、前記機器識別情報に関連付けられた前記対象機器を示す機器文字情報を含む、
請求項１に記載の画像生成装置。
【請求項３】
前記情報取得部は、前記制御装置から、前記機器識別情報と、前記機器識別情報と関連付けられた前記機器文字情報の有無とを関連付けた機器表示データを取得し、該取得した前記機器表示データに基づいて、前記機器識別情報と関連付けられた前記機器文字情報を取得する、
請求項２に記載の画像生成装置。
【請求項４】
前記構成識別情報は、前記対象機器の動作状態を識別する動作識別情報を含み、
前記構成文字情報は、前記動作識別情報と関連付けられた前記対象機器の動作状態を示す動作文字情報を含む、
請求項１から３のいずれか１項に記載の画像生成装置。
【請求項５】
前記情報取得部は、前記制御装置から、前記動作識別情報と、前記動作識別情報と関連付けられた前記動作文字情報の有無とを関連付けた動作表示データを取得し、該取得した前記動作表示データに基づいて、前記動作識別情報と関連付けられた前記動作文字情報を取得する、
請求項４に記載の画像生成装置。
【請求項６】
前記情報取得部が取得した前記構成文字情報に基づいて、複数の前記管理画像における一方の前記管理画像から他方の前記管理画像への遷移を表す画像階層情報を生成する、
請求項１から５のいずれか１項に記載の画像生成装置。
【請求項７】
前記制御装置は複数であり、
前記情報取得部は、前記制御装置を識別する制御装置識別情報と前記制御装置との接続の有無とを関連付けた接続データに基づいて、前記構成文字情報を取得する前記制御装置を判別し、該取得すると判別された前記制御装置から前記構成文字情報を取得する、
請求項１から６のいずれか１項に記載の画像生成装置。
【請求項８】
請求項１から７のいずれか１項に記載の画像生成装置と、
前記管理画像を表示する表示部と、を備える、
表示装置。
【請求項９】
請求項８に記載の表示装置を備える、
機器管理装置。
【請求項１０】
空調を制御する制御装置と、前記制御装置に接続している対象機器と、管理装置とを備え、
前記管理装置は、前記対象機器の構成を示す管理画像を表示する表示部と、前記管理画像を生成する画像生成部とを有し、
前記画像生成部は、前記制御装置から、前記対象機器の構成を識別する構成識別情報と関連付けられた前記対象機器の構成を示す構成文字情報を取得する情報取得部と、前記情報取得部が取得した前記構成文字情報に基づいて、前記管理画像を生成する生成部とを有する、
機器管理システム。
【発明の詳細な説明】
【技術分野】
【０００１】
本発明は、画像生成装置、表示装置、機器管理装置及び機器管理システムに関する。
【背景技術】
【０００２】
鉄道車両に設けられる空調システムでは、複数の空調装置とセンサと、複数の空調装置を制御する制御装置とが各車両に設けられている。制御装置は、車内妻壁、電気室等に設けられた管理装置によって監視、制御される。空調装置とセンサの種類、個数、制御の内容は、鉄道車両の仕様によって異なるので、管理装置の画面に表示される機器の名称、制御の内容も鉄道車両の仕様によって異なる。そこで、管理装置の画面に表示される管理画像を生成するために、機器の名称、制御の内容を表す情報を管理装置に予め記憶させている。
【０００３】
また、特許文献１には、外部設定表示手段からデータが送られ、記憶しているプログラムデータ、設定データが書き換えられる空気調和装置の制御装置が開示されている。
【先行技術文献】
【特許文献】
【０００４】
【特許文献１】特開２００１−９１０３１号公報
【発明の概要】
【発明が解決しようとする課題】
【０００５】
鉄道車両には、多くの空調機器とセンサが設けられるので、空調システムごとに、管理装置の画面に表示される画像を設定し、画面に表示される画像の生成に必要な空調機器とセンサの構成を示す情報を管理装置に記憶させるために、多大な労力と費用が必要になる。また、特許文献１の制御装置においても、画面に表示される画像を設定し、外部設定表示手段に多量の設定データを記憶させるために、多大な労力と費用が必要になる。同様の問題は、鉄道車両上の空調機器に限らず、種々の機器とその管理装置との関係で発生する。
【０００６】
本発明は、上記の事情に鑑みてなされたものであり、対象機器の構成を示す情報を取得し、管理画像を容易に生成できる画像生成装置、表示装置、機器管理装置及び機器管理システムを提供することを目的とする。
【課題を解決するための手段】
【０００７】
上記目的を達成するため、本発明の画像生成装置は、
空調を制御する制御装置に接続している対象機器の構成を示す、管理画像を生成する画像生成装置であって、制御装置から、対象機器の構成を識別する構成識別情報と関連付けられた対象機器の構成を示す構成文字情報を取得する情報取得部と、情報取得部が取得した構成文字情報に基づいて、管理画像を生成する生成部とを備える。
【発明の効果】
【０００８】
本発明によれば、情報取得部が、構成識別情報と関連付けられた構成文字情報を、制御装置から取得するので、画像生成装置は、対象機器の構成を示す情報を取得し管理画像を容易に生成できる。
【図面の簡単な説明】
【０００９】
【図１】本発明の実施の形態１に係る空調機器管理システムの構成を示す図
【図２】本発明の実施の形態１に係る空調装置を示す図
【図３】本発明の実施の形態１に係る制御装置の構成を示すブロック図
【図４】本発明の実施の形態１に係る機器識別情報を示す図
【図５】本発明の実施の形態１に係る運転状況における動作識別情報を示す図
【図６】本発明の実施の形態１に係る運転モードにおける動作識別情報を示す図
【図７】本発明の実施の形態１に係る機器文字情報を示す図
【図８】本発明の実施の形態１に係る運転状況を示す動作文字情報を示す図
【図９】本発明の実施の形態１に係る運転モードを示す動作文字情報を示す図
【図１０】本発明の実施の形態１に係る制御装置のハードウェアの構成を示す図
【図１１】本発明の実施の形態１に係る温度センサと湿度センサの構成を示すブロック図
【図１２】本発明の実施の形態１に係る室内送風機と室外送風機の構成を示すブロック図
【図１３】本発明の実施の形態１に係る圧縮機の構成を示すブロック図
【図１４】本発明の実施の形態１に係る機器管理装置の構成を示すブロック図
【図１５】本発明の実施の形態１に係る機器管理装置のハードウェアの構成を示す図
【図１６】本発明の実施の形態１に係る画像生成部の構成を示すブロック図
【図１７】本発明の実施の形態１に係る管理画像の表示処理を示すフローチャート
【図１８】本発明の実施の形態１に係る情報取得処理を示すフローチャート
【図１９】本発明の実施の形態１に係る表示処理を示すフローチャート
【図２０】本発明の実施の形態１に係る運転状況を示す管理画像を示す図
【図２１】本発明の実施の形態１に係る運転モードを示す管理画像を示す図
【図２２】本発明の実施の形態２に係る機器表示データを示す図
【図２３】本発明の実施の形態２に係る動作表示データを示す図
【図２４】本発明の実施の形態３に係る制御装置識別情報を示す図
【図２５】本発明の実施の形態３に係る接続データを示す図
【図２６】本発明の実施の形態３に係る接続データによる情報取得処理を示すフローチャート
【発明を実施するための形態】
【００１０】
以下、本発明の実施の形態に係る画像生成部を、鉄道車両の空調機器の管理装置に適用した実施の形態を、図面を参照して説明する。各実施の形態において、画像生成部は、鉄道車両の空調制御装置に接続している対象機器の構成を示す管理画像を自動的に生成し、管理装置はこの管理画像を表示する。また、本明細書において、画像生成部は画像生成装置として機能する。
【００１１】
実施の形態１．
図１〜図２１を参照して、本発明の実施の形態１に係る空調機器管理システム１０を説明する。空調機器管理システム１０の機器管理装置３００において、画像生成部４００は、制御装置２００Ａ〜２００Ｄから、対象機器１００の構成を識別する構成識別情報と対象機器１００の構成を示す構成文字情報を取得し、対象機器１００の構成を示す管理画像を生成する。以下では、制御装置２００Ａ〜２００Ｄを総称する場合には制御装置２００と記載する。
【００１２】
空調機器管理システム１０は、図示しない列車に設けられる。空調機器管理システム１０は、車両内の温度と湿度を管理する。
空調機器管理システム１０は、図１に示すように、空調を制御する制御装置２００と、制御装置２００に接続している温度センサ１０２と湿度センサ１０４と、車両内の空気を調和する空調装置１０６と、制御装置２００を管理する機器管理装置３００とを備える。空調装置１０６は、図２に示すように、制御装置２００に接続し制御される、室内送風機１０６Ａと室外送風機１０６Ｂと圧縮機１０６Ｃと圧縮機１０６Ｄとを備える。本明細書においては、空調装置１０６は、室内送風機１０６Ａと室外送風機１０６Ｂと圧縮機１０６Ｃ、１０６Ｄを介して、制御装置２００に接続しているものとする。
本実施の形態において、制御装置２００Ａ〜２００Ｄのそれぞれに接続している対象機器１００は、温度センサ１０２と、湿度センサ１０４と、空調装置１０６と、空調装置１０６が備える室内送風機１０６Ａと室外送風機１０６Ｂと圧縮機１０６Ｃと圧縮機１０６Ｄである。なお、機器管理装置３００が管理する制御装置２００の台数と種類と、制御装置２００のそれぞれが接続している対象機器１００の台数と種類は、任意である。
【００１３】
制御装置２００と機器管理装置３００は、有線又は無線で接続している。例えば、制御装置２００と機器管理装置３００は、ＣＡＮ（Ｃｏｎｔｒｏｌｌｅｒ  Ａｒｅａ  Ｎｅｔｗｏｒｋ）により接続する。対象機器１００と制御装置２００は、入出力インタフェースを介して接続する。
【００１４】
まず、対象機器１００と制御装置２００とについて説明する。
制御装置２００は、列車を編成する車両のそれぞれに設けられる。制御装置２００は、車両内の空調を制御する。具体的には、制御装置２００は、温度センサ１０２と湿度センサ１０４から車両内の温度と湿度とを取得する。制御装置２００は、取得した温度と湿度に基づいて、空調装置１０６の室内送風機１０６Ａと室外送風機１０６Ｂと圧縮機１０６Ｃ、１０６Ｄを制御して、空調装置１０６に車両内の温度と湿度とを制御させる。
【００１５】
制御装置２００は、図３に示すように、室内送風機１０６Ａと室外送風機１０６Ｂと圧縮機１０６Ｃ、１０６Ｄの制御に用いられる、情報とプログラムとを記憶する記憶部２１０と、温度センサ１０２と湿度センサ１０４から温度と湿度とを取得し、室内送風機１０６Ａと室外送風機１０６Ｂと圧縮機１０６Ｃ、１０６Ｄの動作を制御する制御部２２０と、機器管理装置３００と通信する通信部２３０と、対象機器１００と接続する入出力部２４０とを備える。
【００１６】
記憶部２１０は、室内送風機１０６Ａと室外送風機１０６Ｂと圧縮機１０６Ｃ、１０６Ｄの制御に用いられる、情報とプログラムを記憶する。記憶部２１０は、構成識別情報と、構成識別情報に関連付けられた構成文字情報とを記憶する。
【００１７】
まず、構成識別情報について説明する。構成識別情報は、対象機器１００の構成を識別する情報である。本実施の形態においては、構成識別情報は、対象機器１００を識別する機器識別情報と、対象機器１００の動作状態を識別する動作識別情報である。
【００１８】
制御装置２００Ａを例に、機器識別情報と動作識別情報を説明する。
図４は、制御装置２００Ａの記憶部２１０が記憶する機器識別情報を示す。機器識別情報は、対象機器１００を識別するために、対象機器１００のそれぞれに割り当てられた機器ＩＤ（Ｉｄｅｎｔｉｆｉｅｒ）である。本実施の形態においては、例えば、制御装置２００Ａが制御する圧縮機１０６Ｄに、機器ＩＤ＃０００６が割り当てられる。なお、図４において、対象機器が空欄である機器ＩＤには、対象機器１００は割り当てられていない。
【００１９】
動作識別情報は、対象機器１００の動作状態を表す情報であり、対象機器１００の動作状態を識別するために、動作状態のそれぞれに割り当てられたＩＤである。動作識別情報は、対象機器１００の動作状態、例えば、稼働と停止と、強弱とを含む運転状況、運転モード、センサの検出モードのそれぞれに対して設けられる。図５は、室内送風機１０６Ａと室外送風機１０６Ｂと圧縮機１０６Ｃ、１０６Ｄの運転状況における動作識別情報を示す。例えば、「稼働」に運転状況ＩＤ＃０００１が割り当てられる。図６は、空調装置１０６の運転モードにおける動作識別情報を示す。例えば、強制冷房に、運転モードＩＤ＃０００６が割り当てられる。なお、図５、図６においても、空欄には、運転状況又は運転モードは割り当てられていない。
制御装置２００Ｂ〜２００Ｄにおいても、制御装置２００Ａと同様に、記憶部２１０に機器識別情報と動作識別情報が記憶されている。
【００２０】
次に、構成文字情報について説明する。構成文字情報は、構成識別情報に関連付けられ、対象機器１００の構成を示す文字情報である。本実施の形態においては、構成文字情報は、対象機器１００を示す機器文字情報と、対象機器１００の動作状態を示す動作文字情報である。機器文字情報は機器識別情報と関連付けられ、動作文字情報は動作識別情報と関連付けられる。
【００２１】
制御装置２００Ａを例に、機器文字情報と動作文字情報を説明する。
図７は、機器文字情報を示す。本実施の形態においては、例えば、圧縮機１０６Ｄの機器ＩＤ＃０００６と、「ＣＰ２」の文字を表す機器文字情報が関連付けられている。なお、図７において、空欄には、機器文字情報は関連付けられていない。
【００２２】
図８は、室内送風機１０６Ａと室外送風機１０６Ｂと圧縮機１０６Ｃ、１０６Ｄの運転状況を示す動作文字情報を示す。例えば、運転状況＃０００１「稼働」と「ＯＮ」の文字を表す動作文字情報が関連付けられている。図９は、空調装置１０６の運転モードを示す動作文字情報を示す。運転状況＃０００６「強制冷房」と「キョウセイ  レイボウ」の文字を表す動作文字情報が関連付けられている。図８、図９において、空欄には、動作文字情報は関連付けられていない。
制御装置２００Ｂ〜２００Ｄにおいても、制御装置２００Ａと同様に、記憶部２１０に機器文字情報と動作文字情報が記憶されている。
【００２３】
図３に戻り、制御部２２０について説明する。制御部２２０は、機器管理装置３００からの指示に基づいて、温度センサ１０２と湿度センサ１０４から温度と湿度とを取得する。また、制御部２２０は、機器管理装置３００からの指示に基づいて、室内送風機１０６Ａと室外送風機１０６Ｂと圧縮機１０６Ｃ、１０６Ｄの動作を制御する。さらに、制御部２２０は、記憶部２１０と通信部２３０と入出力部２４０の動作を制御する。
【００２４】
通信部２３０は機器管理装置３００と通信する。入出力部２４０は、対象機器１００と制御部２２０との間の信号を入出力する。
【００２５】
図１０は、制御装置２００のハードウェアの構成を示す。制御部２２０は、ＣＰＵ（Ｃｅｎｔｒａｌ  Ｐｒｏｃｅｓｓｉｎｇ  Ｕｎｉｔ）２４２を備える。制御部２２０の機能は、ＣＰＵ２４２が記憶部２１０に記憶されたプログラムを実行することによって実現される。記憶部２１０は、ＲＯＭ（Ｒｅａｄ  Ｏｎｌｙ  Ｍｅｍｏｒｙ）２４３とＲＡＭ（Ｒａｎｄｏｍ  Ａｃｃｅｓｓ  Ｍｅｍｏｒｙ）２４４とを備える。通信部２３０は、通信インタフェース２４５である。入出力部２４０は、入出力インタフェース２４６である。ＣＰＵ２４２とＲＯＭ２４３とＲＡＭ２４４と通信インタフェース２４５と入出力インタフェース２４６は、バス２４８によって接続される。
【００２６】
対象機器１００は、列車を編成する車両のそれぞれに設けられる。対象機器１００は、制御装置２００に接続している。
対象機器１００は、車両内の空気を調和する空調装置１０６と、空調装置１０６が備える機器と、空調装置１０６が備える機器の制御に用いられる車両内の環境を検出するセンサである。本実施の形態においては、対象機器１００は、温度センサ１０２と、湿度センサ１０４と、空調装置１０６と、空調装置１０６の室内送風機１０６Ａと室外送風機１０６Ｂと圧縮機１０６Ｃ、１０６Ｄである。
【００２７】
温度センサ１０２と湿度センサ１０４は、図１１に示すように、検出部１１０と、入出力部１２０とを備える。
【００２８】
温度センサ１０２の検出部１１０は、車両内の温度を検出する。温度センサ１０２の検出部１１０は、例えば、測温体方式により温度を検出する。湿度センサ１０４の検出部１１０は、車両内の湿度を検出する。湿度センサ１０４の検出部１１０は、例えば、高分子容量式により、湿度を検出する。入出力部１２０は、入出力インタフェースであり、検出部１１０と制御装置２００との間の信号を入出力する。
【００２９】
室内送風機１０６Ａと室外送風機１０６Ｂは、図１２に示すように、ファン１５０と、入出力部１６０とを備える。室内送風機１０６Ａのファン１５０は、後述する空調装置１０６の蒸発器に風を送る。室外送風機１０６Ｂのファン１５０は、後述する空調装置１０６の凝縮器に風を送る。入出力部１６０は、入出力インタフェースであり、ファン１５０と制御装置２００との間の信号を入出力する。
【００３０】
圧縮機１０６Ｃ、１０６Ｄは、図１３に示すように、圧縮部１７０と、入出力部１８０とを備える。圧縮部１７０は、冷媒を圧縮し循環させる。入出力部１８０は、入出力インタフェースであり、圧縮部１７０と制御装置２００との間の信号を入出力する。
【００３１】
空調装置１０６は、列車を編成する車両のそれぞれに設けられ、室内送風機１０６Ａと室外送風機１０６Ｂと圧縮機１０６Ｃと圧縮機１０６Ｄによって、車両内の空気を調和する。空調装置１０６は、室内送風機１０６Ａと室外送風機１０６Ｂと圧縮機１０６Ｃと圧縮機１０６Ｄを介して、制御装置２００に接続している。空調装置１０６は、室内送風機１０６Ａと室外送風機１０６Ｂと圧縮機１０６Ｃ、１０６Ｄの他に、冷媒を液化させる凝縮器、冷媒を気化させる蒸発器、キャピラリチューブ、外気温度センサ等を含む公知の構成である。なお、空調装置１０６の、室内送風機１０６Ａと室外送風機１０６Ｂと圧縮機１０６Ｃ、１０６Ｄ以外の機器が、制御装置２００に接続している対象機器１００であってもよい。
【００３２】
次に、機器管理装置３００について説明する。機器管理装置３００は、制御装置２００を管理する。
【００３３】
機器管理装置３００は、図１４に示すように、ユーザからの指示を受け付ける入力部３１０と、情報とプログラムとを記憶する記憶部３２０と、制御装置２００と通信する通信部３３０と、制御装置２００を制御する制御部３４０と、管理画像を表示する表示部３５０と、管理画像を生成する画像生成部４００と、管理画像を表示部に表示させる表示制御部４５０とを備える。ここで、管理画像は、対象機器１００の構成を示す画像である。管理画像は、ユーザが対象機器１００を制御又は監視するために必要な情報を表す。
【００３４】
図１５は、機器管理装置３００のハードウェアの構成を示す。入力部３１０は、例えば、タッチパネル３４１、キーボード、選択スイッチである。記憶部３２０はＲＯＭ３４３とＲＡＭ３４４とを備える。通信部３３０は、通信インタフェース３４５である。
【００３５】
制御部３４０と画像生成部４００と表示制御部４５０の機能は、ＣＰＵ３４６が記憶部３２０に記憶されたプログラムを実行することによって実現される。表示部３５０は、例えば、液晶ディスプレイ３４７である。
ＣＰＵ３４６と各部は、バス３４８を介して接続する。
【００３６】
図１４に戻り、制御部３４０について説明する。制御部３４０は、入力部３１０が受け付けたユーザからの指示に基づいて、制御装置２００に指示を送り、室内送風機１０６Ａと室外送風機１０６Ｂと圧縮機１０６Ｃと圧縮機１０６Ｄを制御する。制御部３４０は、温度センサ１０２と湿度センサ１０４から取得した温度と湿度とに基づいて、室内送風機１０６Ａと室外送風機１０６Ｂと圧縮機１０６Ｃと圧縮機１０６Ｄを制御する。
また、制御部３４０は、ユーザからの指示に基づいて、表示制御部４５０に、ユーザの指示に応じた管理画像を表示部３５０に表示させる。制御部３４０は、さらに、記憶部３２０と通信部３３０と画像生成部４００とを制御する。
【００３７】
画像生成部４００は、図１６に示すように、制御装置２００から、構成識別情報と構成識別情報と関連付けられた構成文字情報とを取得する情報取得部４１０と、管理画像を生成する生成部４３０と、管理画像間の遷移を表す画像階層情報を生成する階層情報生成部４４０とを備える。本明細書において、画像生成部４００は、画像生成装置４００として機能する。
【００３８】
情報取得部４１０は、機器管理装置３００の通信部３３０を介して、制御装置２００から、構成識別情報と構成識別情報と関連付けられた構成文字情報とを取得する。情報取得部４１０は、取得した構成文字情報を記憶部３２０に記憶させる。生成部４３０は、情報取得部４１０が取得した構成識別情報と構成文字情報とに基づいて、管理画像を生成する。
【００３９】
階層情報生成部４４０は、一方の管理画像から他方の管理画像への遷移を表す画像階層情報を生成する。情報取得部４１０は、構成識別情報に従って構成文字情報を取得していくので、階層情報生成部４４０は、情報取得部４１０が取得した構成文字情報から、構成文字情報に基づいて生成される管理画像が、次に、どの構成文字情報に基づいて生成される管理画像に遷移するかを設定できる。階層情報生成部４４０は、設定した遷移を表す画像階層情報を記憶部３２０に記憶させる。
【００４０】
図１４に戻り、表示制御部４５０は、画像生成部４００が生成した管理画像を、表示部３５０に表示させる。
【００４１】
次に、図１７〜図１９を参照して、管理画像の表示処理について説明する。
列車に設けられた空調機器管理システム１０において、温度センサ１０２と湿度センサ１０４と空調装置１０６と制御装置２００と機器管理装置３００とに電力が供給され、車両内の温度と湿度が空調機器管理システム１０により管理される。
【００４２】
管理画像の表示処理においては、図１７に示すように、構成文字情報を取得する情報取得処理（ステップＳ１１）が行われ、次いで、管理画像を表示する表示処理（ステップＳ１２）が行われる。表示処理（ステップＳ１２）の後、制御部３４０に終了指示が入力されない場合（ステップＳ１３；ＮＯ）、管理画像の表示処理は、表示処理（ステップＳ１２）に戻る。制御部３４０に終了指示が入力された場合（ステップＳ１３；ＹＥＳ）、管理画像の表示処理は終了する。
【００４３】
まず、図１８を参照して、情報取得処理（ステップＳ１１）について説明する。
機器管理装置３００に電力が供給されると、記憶部３２０に記憶されている構成文字情報が消去され、画像生成部４００がリセットされる（ステップＳ１０１）。画像生成部４００の情報取得部４１０は、制御装置２００から、構成識別情報と関連付けられた構成文字情報を取得する（ステップＳ１０２）。具体的には、情報取得部４１０は、制御装置２００Ａ〜２００Ｄに、順に、構成文字情報を出力する指示信号を送信し、制御装置２００Ａ〜２００Ｄのそれぞれから構成文字情報を受け取る。なお、情報取得部４１０は、制御装置２００Ａ〜２００Ｄから構成文字情報を表す信号を受信しない場合には、構成文字情報の取得に失敗したと判別し、構成文字情報を表す信号を受信していない制御装置２００に対して、再度、構成文字情報を出力する指示信号を送信する。
情報取得部４１０は取得した構成文字情報を階層情報生成部４４０に出力し、階層情報生成部４４０は画像階層情報を生成し、記憶部３２０に記憶させる（ステップＳ１０３）。情報取得部４１０は取得した構成文字情報を記憶部３２０に記憶させる（ステップＳ１０４）。構成文字情報が記憶部３２０に記憶されると、情報取得処理（ステップＳ１１）は終了する。
【００４４】
図１９を参照して、表示処理（ステップＳ１２）について説明する。
機器管理装置３００の制御部３４０は、ユーザから管理画像を表示する指示を受けると、記憶部３２０に記憶されている画像階層情報に基づき、制御装置２００に、現状の対象機器１００の構成を示す構成識別情報を出力する指示信号を送信する（ステップＳ２０１）。画像生成部４００の情報取得部４１０は、制御装置２００から構成識別情報を受け取り、構成識別情報を生成部４３０に出力する（ステップＳ２０２）。生成部４３０は、取得した構成識別情報と、取得され、記憶部３２０に記憶されている構成文字情報とに基づいて、管理画像を生成する（ステップＳ２０３）。表示制御部４５０は、生成部４３０が生成した管理画像を表示部３５０に表示させる（ステップＳ２０４）。
【００４５】
次に、図２０、２１と図７、９を参照して、管理画像について具体的に説明する。ここでは、理解を容易にするために、制御装置２００Ａと、制御装置２００Ａに接続している温度センサ１０２と湿度センサ１０４と、室内送風機１０６Ａと室外送風機１０６Ｂと圧縮機１０６Ｃ、１０６Ｄとを備える空調装置１０６が、１両目の車両に設けられているものとする。
【００４６】
図２０は、１両目の車両に設けられた空調装置１０６の室内送風機１０６Ａと室外送風機１０６Ｂと圧縮機１０６Ｃ、１０６Ｄの運転状況を示す管理画像を、示す。対象機器１００の名称に相当し、対象機器１００を識別する「ＥＦ」、「ＣＦ」、「ＣＰ１」、「ＣＰ２」は、図７に示した機器文字情報に基づいて生成される。「ＥＦ」、「ＣＦ」、「ＣＰ１」、「ＣＰ２」のそれぞれは、室内送風機１０６Ａ、室外送風機１０６Ｂ、圧縮機１０６Ｃ、圧縮機１０６Ｄのそれぞれに関連付いている。また、「ＥＦ」の運転状況を表す「Ｈ」と、「ＣＦ」の運転状況を表す「Ｌ」と、「ＣＰ１」と「ＣＰ２」の運転状況を表す「ＯＮ」は、図８に示した室内送風機１０６Ａと室外送風機１０６Ｂと圧縮機１０６Ｃ、１０６Ｄの運転状況における動作文字情報に基づいて生成される。なお、図７に示した機器文字情報において、機器ＩＤ＃０００２、＃０００４に、機器文字情報が関連付けられていないので、機器ＩＤ＃０００２、＃０００４に相当する欄は空欄となっている。
【００４７】
図２１は、空調装置１０６の運転モードを示す管理画像を示す。運転モードを示す管理画像は、例えば、対象機器１００の一覧を示す管理画像において、「ＡＣ」をユーザが選択した場合に、画像階層情報に基づいて表示される。空調装置１０６の運転モードを示す「ジドウ  レイボウ」は、図９に示した運転モードにおける動作文字情報に基づいて生成される。
【００４８】
以上のように、画像生成部４００は、制御装置２００から取得した構成文字情報に基づいて、管理画像を生成できる。画像生成部４００は、空調機器管理システム１０ごとに異なる構成文字情報を、制御装置２００から取得し管理画像を生成するので、機器管理装置３００あるいは画像生成部４００に構成文字情報を予め記憶させることなく、管理画像を容易に生成できる。さらに、画像生成部４００は、取得した構成文字情報から画像階層情報を生成するので、管理画像をより容易に生成できる。
【００４９】
実施の形態２．
図２２、２３と図７、９を参照して、本実施の形態２に係る画像生成部４００を説明する。実施の形態１においては、画像生成部４００の情報取得部４１０は、構成文字情報を取得したが、構成文字情報に加えて、他の情報を取得してもよい。
【００５０】
本実施の形態において、情報取得部４１０は、構成文字情報を取得する前に、制御装置２００から機器表示データと動作表示データとを取得する。構成文字情報は、実施の形態１における構成文字情報と同様であるので、ここでは、機器表示データと動作表示データについて説明する。なお、本実施の形態において、制御装置２００は、記憶部２１０に機器表示データと動作表示データとを記憶している。
【００５１】
図２２は、機器表示データを示す。機器表示データは、機器識別情報と、機器識別情報と関連付けられた機器文字情報の有無を表す情報とを関連付けたデータである。例えば、図７において機器識別情報である機器ＩＤ＃０００６には機器文字情報が表す「ＣＰ２」が関連付けられているので、機器表示データにおいては、機器ＩＤ＃０００６と機器文字情報が「有る」ことを表す情報とが関連付けられている。また、図７において機器文字情報である機器ＩＤ＃０００２には機器文字情報が関連付けられていないので、機器表示データにおいては、機器ＩＤ＃０００２と機器文字情報が「無い」ことを表す情報とが関連付けられている。
【００５２】
図２３は、動作表示データを示す。動作表示データは、動作識別情報と、動作識別情報と関連付けられた動作文字情報の有無を表す情報とを関連付けたデータである。例えば、図９において動作識別情報である運転モードＩＤ＃０００６には動作文字情報が表す「キョウセイ  レイボウ」が関連付けられているので、機器表示データにおいては、機器ＩＤ＃０００６と動作文字情報が「有る」ことを表す情報とが関連付けられている。
【００５３】
本実施の形態では、情報取得部４１０は、まず、機器表示データと動作表示データとを取得する。次いで、情報取得部４１０は、機器表示データと動作表示データとに基づいて、機器識別情報と関連付けられている機器文字情報と、動作識別情報と関連付けられた動作文字情報のみを取得する。これにより、機器管理装置３００と制御装置２００との通信量が減少するので、構成文字情報の取得に失敗するリスクが低減し、情報取得部４１０は、より確実に構成文字情報を取得できる。本実施の形態におけるその他の構成は、実施の形態１と同様である。
【００５４】
以上のように、情報取得部４１０は、機器表示データと動作表示データとに基づいて、関連付けられた機器文字情報と動作文字情報のみを取得するので、より短時間で効率的に構成文字情報を取得できる。また、実施の形態１と同様に、情報取得部４１０が制御装置２００から構成文字情報を取得するので、画像生成部４００は管理画像を容易に生成できる。画像生成部４００は、取得した構成文字情報から画像階層情報を生成するので、管理画像をより容易に生成できる。
【００５５】
実施の形態３．
図２４〜図２６を参照して、本実施の形態３に係る画像生成部４００を説明する。
画像生成部４００の情報取得部４１０は、構成文字情報、機器表示データ、動作表示データに加えて、制御装置２００から接続データを取得してもよい。接続データは、制御装置２００を識別する制御装置識別情報と、機器管理装置３００と制御装置２００との接続の有無とを関連付けたデータである。
【００５６】
図２４は、本実施の形態における制御装置識別情報を示す。制御装置識別情報は、制御装置２００のそれぞれに割り当てられる制御装置ＩＤである。例えば、制御装置ＩＤ＃１には、制御装置２００Ａが割り当てられている。
【００５７】
図２５は、本実施の形態における接続データである。接続データは、制御装置ＩＤが最も小さい制御装置２００の記憶部２１０に記憶される。本実施の形態においては、制御装置２００Ａの記憶部２１０が、接続データを記憶している。
【００５８】
本実施の形態において、画像生成部４００の情報取得部４１０は、最初に、制御装置ＩＤが最も小さい制御装置２００から接続データを取得する。情報取得部４１０は、取得した接続データに基づいて、接続している制御装置２００を判別する。情報取得部４１０は、接続していると判別された制御装置２００からのみ、機器表示データと動作表示データと構成文字情報とを取得する。その他の構成は、実施の形態１、２と同様である。
【００５９】
本実施の形態においては、実施の形態１の情報取得処理に代えて、接続データによる情報取得処理が行われる。ここでは、図２６を参照して、接続データによる情報取得処理について説明する。
【００６０】
機器管理装置３００に電力が供給されると、記憶部３２０に記憶されている構成文字情報が消去され、画像生成部４００がリセットされる（ステップＳ３０１）。画像生成部４００の情報取得部４１０は、制御装置２００から、接続データを取得する（ステップＳ３０２）。具体的には、情報取得部４１０は、制御装置ＩＤ＃１が割り当てられている制御装置２００Ａに、接続データを出力する指示信号を送信し、制御装置２００Ａから接続データを受け取る。情報取得部４１０は、接続の有無を判別する変数である制御装置ＩＤを１に初期化し（ステップＳ３０３）、接続データに基づいて制御装置２００との接続の有無を判別する（ステップＳ３０４）。
【００６１】
制御装置２００との接続が「有る」場合（ステップＳ３０４；ＹＥＳ）、情報取得部４１０は、機器表示データと動作表示データと構成文字情報とを取得する（ステップＳ３０５）。次に、制御装置ＩＤを次の値にし（ステップＳ３０６）、接続データに含まれる最大の制御装置ＩＤである自然数Ｎより大きいか否か判別する（ステップＳ３０７）。制御装置ＩＤがＮより小さい場合（ステップＳ３０７；ＮＯ）、情報取得部４１０は、接続の判別（ステップＳ３０４）に戻る。制御装置ＩＤがＮより大きい場合（ステップＳ３０７；ＹＥＳ）、情報取得部４１０は、画像階層情報の生成（ステップＳ３０８）に進む。
【００６２】
制御装置２００との接続が「無い」場合（ステップＳ３０４；ＮＯ）、制御装置ＩＤを次の値にし（ステップＳ３０６）、Ｎより大きいか否か判別する（ステップＳ３０７）。情報取得部４１０は、制御装置ＩＤがＮより小さい場合に（ステップＳ３０７；ＮＯ）、接続の判別（ステップＳ３０４）に戻り、制御装置ＩＤがＮより大きい場合に（ステップＳ３０７；ＹＥＳ）、画像階層情報の生成（ステップＳ３０８）に進む。
【００６３】
情報取得部４１０が機器表示データと動作表示データと構成文字情報を取得した後（ステップＳ３０３〜Ｓ３０７）、実施の形態１と同様に、階層情報生成部４４０が画像階層情報を生成し、記憶部３２０に記憶させる（ステップＳ３０８）。情報取得部４１０は取得した構成文字情報を記憶部３２０に記憶させる（ステップＳ３０９）。構成文字情報が記憶部３２０に記憶されると、接続データによる情報取得処理は終了する。なお、ステップＳ３０５においては、構成文字情報のみを取得してもよい。
【００６４】
以上のように、画像生成部４００は、接続データに基づいて、接続している制御装置２００を判別し、機器表示データと動作表示データと構成文字情報とを取得する。画像生成部４００は、接続していると判別された制御装置２００のみから、機器表示データと動作表示データと構成文字情報とを取得するので、より短時間で効率的に機器表示データと動作表示データと構成文字情報とを取得できる。また、実施の形態１と同様に、情報取得部４１０が制御装置２００から構成文字情報を取得するので、画像生成部４００は管理画像を容易に生成できる。画像生成部４００は、取得した構成文字情報から画像階層情報を生成するので、管理画像をより容易に生成できる。
【００６５】
以上、本発明の複数の実施の形態を説明したが、本発明は、上記の実施の形態に限定されず、本発明の要旨を逸脱しない範囲で種々の変更が可能である。
【００６６】
例えば、実施の形態１〜３において、空調機器管理システム１０が、管理する環境は温度と湿度に限られない。空調機器管理システム１０は空気環境を管理し、例えば、空気の清浄度、気流を管理してもよい。また、対象機器１００の台数、種類は任意である。例えば、対象機器１００は、乗客の密度を検出するセンサ、空気の清浄度を検出するセンサであってもよい。
【００６７】
また、制御装置２００の台数、種類も任意である。例えば、制御装置２００は、交流電力の周波数と電圧を変化させるインバータを備え、対象機器１００をインバータ制御する装置であってもよい。さらに、画像生成部４００が画像階層情報を生成する場合に、インバータ制御される対象機器１００に対する画像階層情報を生成することによって、インバータ制御される対象機器１００を、別途管理することもできる。
【００６８】
機器管理装置３００は、対象機器１００の状態を監視する装置であってもよい。さらに、画像生成部４００は、ＣＰＵ、ＲＡＭ、ＲＯＭ等を備えた、独立した画像生成装置４００に、含まれてもよい。画像生成装置４００は、表示部３５０と共に、独立した表示装置に含まれてもよい。
【００６９】
さらに、構成識別情報は、動作識別情報と機器識別情報に限られず、例えば、対象機器１００の設置場所を識別する情報であってもよい。実施の形態２において、画像生成部４００は、機器表示データと動作表示データの一方を取得してもよい。実施の形態３において、情報取得部４１０は、制御装置２００Ａから接続データを表す信号を受信しない場合に、接続データの取得に失敗したと判別して、制御装置２００Ａに対して、再度、接続データを出力する指示信号を送信してもよい。
【符号の説明】
【００７０】
１０  空調機器管理システム、１００  対象機器、１０２  温度センサ、１０４  湿度センサ、１０６  空調装置、１０６Ａ  室内送風機、１０６Ｂ  室外送風機、１０６Ｃ，１０６Ｄ  圧縮機、１１０  検出部、１２０，１６０，１８０，２４０  入出力部、１５０  ファン、１７０  圧縮部、２００，２００Ａ，２００Ｂ，２００Ｃ，２００Ｄ  制御装置、２１０，３２０  記憶部、２２０，３４０  制御部、２３０，３３０  通信部、２４２，３４６  ＣＰＵ、２４３，３４３  ＲＯＭ、２４４，３４４  ＲＡＭ、２４５，３４５  通信インタフェース、２４６  入出力インタフェース、２４８，３４８  バス、３００  機器管理装置、３１０  入力部、３４１  タッチパネル、３４７  液晶ディスプレイ、３５０  表示部、４００  画像生成部，画像生成装置、４１０  情報取得部、４３０  生成部、４４０  階層情報生成部、４５０  表示制御部
【図１】
2018189299.tif 000003
【図２】
2018189299.tif 000004
【図３】
2018189299.tif 000005
【図４】
2018189299.tif 000006
【図５】
2018189299.tif 000007
【図６】
2018189299.tif 000008
【図７】
2018189299.tif 000009
【図８】
2018189299.tif 000010
【図９】
2018189299.tif 000011
【図１０】
2018189299.tif 000012
【図１１】
2018189299.tif 000013
【図１２】
2018189299.tif 000014
【図１３】
2018189299.tif 000015
【図１４】
2018189299.tif 000016
【図１５】
2018189299.tif 000017
【図１６】
2018189299.tif 000018
【図１７】
2018189299.tif 000019
【図１８】
2018189299.tif 000020
【図１９】
2018189299.tif 000021
【図２０】
2018189299.tif 000022
【図２１】
2018189299.tif 000023
【図２２】
2018189299.tif 000024
【図２３】
2018189299.tif 000025
【図２４】
2018189299.tif 000026
【図２５】
2018189299.tif 000027
【図２６】
2018189299.tif 000028